(57)【特許請求の範囲】
【請求項１】
外部の装置と通信を行う通信部と、該通信の発信履歴および着信履歴の少なくとも一方である発信／着信履歴を記憶する履歴記憶部とを備えている通信装置であって、
情報を出力する出力部と、
自装置の状態を取得する状態取得手段と、
上記発信／着信履歴の出力指示を取得する指示取得手段と、
上記自装置の状態と発信／着信履歴の抽出条件とを対応付けた対応情報を記憶する対応情報記憶部と、
上記指示取得手段が上記出力指示を取得すると、上記状態取得手段が取得した自装置の状態に対応する抽出条件を、上記対応情報記憶部から取得する抽出条件取得手段と、
該抽出条件取得手段が取得した抽出条件に適合する発信／着信履歴を、上記履歴記憶部から抽出する履歴抽出手段と、
該履歴抽出手段が抽出した発信／着信履歴を出力するように上記出力部を制御する出力制御手段とを備え、
さらに、発信／着信履歴の表示をする時に所定の時間、不在の発信／着信履歴のみを表示するモードである不在表示モードの場合、
上記抽出条件取得手段は、不在表示モード対応の抽出条件を取得し、上記出力制御手段は、自装置の状態に対応する抽出条件に適合する発信／着信履歴を出力する前に、上記不在表示モード対応の抽出条件に適合する発信／着信履歴を所定の時間、出力することを特徴とする通信装置。
【請求項２】
携帯端末の発信／着信履歴を、近距離での通信を介して取得し、取得した発信／着信履歴を上記履歴記憶部に記憶する履歴取得手段をさらに備えていることを特徴とする請求項１に記載の通信装置。
【請求項３】
上記状態取得手段は、上記携帯端末と近距離での通信が可能な状態であることを取得し、
自装置が携帯端末と近距離での通信で通信可能な状態に対応する上記抽出条件は、自装置の発信／着信履歴と、自装置と近距離で通信可能な携帯端末の発信／着信履歴とを抽出するものであることを特徴とする請求項２に記載の通信装置。
【請求項４】
ファクシミリ機能を備え、
上記状態取得手段は、上記ファクシミリ機能が動作するＦＡＸモード状態であることを取得し、
上記対応情報記憶部に記憶されている対応情報における、ＦＡＸモード状態に対応する抽出条件は、相手先が固定電話機である発信／着信履歴を抽出するものであることを特徴とする請求項１〜３のいずれか１項に記載の通信装置。
【請求項５】
自装置に用紙がセットされた状態を検出すると、上記ＦＡＸモード状態であると判断する状態判断手段をさらに備えていることを特徴とする請求項４に記載の通信装置。
【請求項６】
請求項１〜５のいずれか１項に記載の通信装置を動作させる通信装置制御プログラムであって、コンピュータを上記の各手段として機能させるための通信装置制御プログラム。
【請求項７】
請求項６に記載の通信装置制御プログラムを記録したコンピュータ読み取り可能な記録媒体。
【請求項８】
外部の装置と通信を行う通信部と、該通信の発信履歴および着信履歴の少なくとも一方である発信／着信履歴を記憶する履歴記憶部と、自装置の状態と発信／着信履歴の抽出条件とを対応付けた対応情報を記憶する対応情報記憶部と、を備えている通信装置の制御方法であって、
自装置の状態を取得する状態取得ステップと、
上記発信／着信履歴の出力指示を取得する指示取得ステップと、
上記指示取得ステップで上記出力指示を取得すると、上記状態取得ステップで取得した自装置の状態に対応する抽出条件を、上記対応情報記憶部から取得する抽出条件取得ステップと、
該抽出条件取得ステップで取得した抽出条件に適合する発信／着信履歴を、上記履歴記憶部から抽出する履歴抽出ステップと、
該履歴抽出ステップで抽出した発信／着信履歴を出力するように、情報を出力する出力部を制御する出力制御ステップとを含み、
発信／着信履歴の表示をする時に所定の時間、不在の発信／着信履歴のみを表示するモードである不在表示モードの場合、
上記抽出条件取得ステップでは、不在表示モード対応の抽出条件を取得し、上記出力制御ステップでは、自装置の状態に対応する抽出条件に適合する発信／着信履歴を出力する前に、上記不在表示モード対応の抽出条件に適合する発信／着信履歴を所定の時間、出力することを特徴とする通信装置の制御方法。
【発明の詳細な説明】
【技術分野】
【０００１】
本発明は、発信履歴および着信履歴の少なくともいずれか一方である発信／着信履歴を出力可能な通信装置、通信装置の制御方法、通信装置制御プログラムおよび該プログラムを記録したコンピュータ読み取り可能な記録媒体に関するものである。特に、本発明は、上記通信装置と携帯端末との発信／着信履歴の連携に関するものである。
【背景技術】
【０００２】
近年、携帯電話端末の契約数は増加の一途をたどり、２００８年１月現在では１億を超えている。これは、個人で携帯電話端末を所有することが当たり前になってきていることを示している。これにより、各家庭では、固定電話端末に加え、家族がそれぞれ自分の携帯電話端末を所有していることは珍しくない。そこで、ユーザは、外出先では携帯電話端末を用いて発着信を行い、家庭では固定電話端末と携帯電話端末とを併用して発着信を行うことになる。
【０００３】
また、固定電話端末や携帯電話端末等の通信端末は、自端末から発信したときの発信先の電話番号および自端末へ着信があったときの発信元の電話番号を履歴として記憶している。これにより、ユーザは、通信端末に記憶されている発信履歴や着信履歴から通話を行う相手を選択し、通話することが可能となる。
【０００４】
そして、ユーザは、家庭から電話する場合、固定電話端末と携帯電話端末のどちらかを選択して行うことが可能である。しかしながら、例えば、携帯電話端末の発信／着信履歴にのみ記録されている相手に、固定電話端末を用いて電話したい場合、固定電話端末の発信／着信履歴を用いて電話を行うことができない。
【０００５】
これに対し、例えば、特許文献１には、無線接続可能な２つの通信端末との間で、それぞれの通信端末における着信履歴データを無線通信にて受信し、２つの通信端末における着信履歴の表示閲覧が可能な無線端末が記載されている。
【０００６】
また、特許文献２には、携帯端末と接続可能で、携帯端末の接続を検出すると、携帯端末が持つ電話番号情報を自装置の記録手段に記録する電話装置が記載されている。
【０００７】
また、特許文献３には、自装置と接続可能な通信端末から履歴情報等の通信情報を収集し、自装置の共通端末部で一元管理する中継装置が記載されている。
【０００８】
また、特許文献４には、２回線と接続可能な宅内電話装置において、それぞれの回線に着呼した電話の発信元の電話番号の履歴をサーバで閲覧できる技術が記載されている。
【特許文献１】特開２００２−２９１０４４号公報（公開日：２００２年１０月４日）
【特許文献２】特開２００６−３３９８１４号公報（公開日：２００６年１２月１４日）
【特許文献３】特開２００４−６４１１０号公報（公開日：２００４年２月２６日）
【特許文献４】特開２００４−２２９３１１号公報（公開日：２００４年８月１２日）
【発明の開示】
【発明が解決しようとする課題】
【０００９】
しかしながら、上記従来の構成では、以下のような問題を生じる。すなわち、特許文献１に記載の技術では、受信した着信履歴データを全て表示するので、例えば、ＦＡＸ送信時に携帯電話端末の番号を表示してしまうなど、不要な履歴や余計な履歴まで表示してしまうことになり、ユーザにとって利便性が低い。また、特許文献２に記載の技術では、携帯端末の電話番号情報を記録するのみであり履歴情報の表示については記載されていない。また、特許文献３に記載の技術でも、履歴情報を一元管理するのみであり、ユーザにとって利便性の高い履歴情報の表示を行うことは記載されていない。さらに、特許文献４に記載の技術でも、複数の回線で着呼した履歴をサーバで閲覧できるのみであり、ユーザにとって利便性の高い履歴情報の表示を行うことは記載されていない。
【００１０】
本発明は、上記の問題点に鑑みてなされたものであり、その目的は、ユーザにとって利便性の高い発信／着信履歴の出力を行うことができる通信装置を実現することにある。
【課題を解決するための手段】
【００１１】
上記課題を解決するために、本発明に係る通信装置は、外部の装置と通信を行う通信部と、該通信の発信履歴および着信履歴の少なくとも一方である発信／着信履歴を記憶する履歴記憶部とを備えている通信装置であって、情報を出力する出力部と、自装置の状態を取得する状態取得手段と、上記発信／着信履歴の出力指示を取得する指示取得手段と、上記自装置の状態と発信／着信履歴の抽出条件とを対応付けた対応情報を記憶する対応情報記憶部と、上記指示取得手段が上記出力指示を取得すると、上記状態取得手段が取得した自装置の状態に対応する抽出条件を、上記対応情報記憶部から取得する抽出条件取得手段と、該抽出条件取得手段が取得した抽出条件に適合する発信／着信履歴を、上記履歴記憶部から抽出する履歴抽出手段と、該履歴抽出手段が抽出した発信／着信履歴を出力するように上記出力部を制御する出力制御手段とを備えていることを特徴としている。
【００１２】
また、本発明に係る通信装置の制御方法は、外部の装置と通信を行う通信部と、該通信の発信履歴および着信履歴の少なくとも一方である発信／着信履歴を記憶する履歴記憶部と、自装置の状態と発信／着信履歴の抽出条件とを対応付けた対応情報を記憶する対応情報記憶部と、を備えている通信装置の制御方法であって、自装置の状態を取得する状態取得ステップと、上記発信／着信履歴の出力指示を取得する指示取得ステップと、上記指示取得ステップで上記出力指示を取得すると、上記状態取得ステップで取得した自装置の状態に対応する抽出条件を、上記対応情報記憶部から取得する抽出条件取得ステップと、該抽出条件取得ステップで取得した抽出条件に適合する発信／着信履歴を、上記履歴記憶部から抽出する履歴抽出ステップと、該履歴抽出ステップで抽出した発信／着信履歴を出力するように、情報を出力する出力部を制御する出力制御ステップとを含むことを特徴としている。
【００１３】
上記の構成および方法によれば、発信／着信履歴の出力指示を取得すると、取得した自装置の状態に対応する発信／着信履歴を抽出し、出力する。
【００１４】
これにより、自装置の状態に適した発信／着信履歴の出力が可能となり、不要な発信／着信履歴や余計な発信／着信履歴を出力せずに、より効率的な出力が可能となる。したがって、ユーザの利便性を向上させることができる。なお、ここで出力とは、例えば、表示することであってもよいし、印刷することであってもよい。
【００１５】
本発明に係る通信装置では、携帯端末の発信／着信履歴を、近距離での通信を介して取得し、取得した発信／着信履歴を上記履歴記憶部に記憶する履歴取得手段をさらに備えているものであることが好ましい。
【００１６】
上記の構成によれば、履歴記憶部は、近距離での通信が可能な携帯端末の発信／着信履歴と、自装置の発信／着信履歴とを記憶している。したがって、発信／着信履歴の出力指示を取得すると、取得した自装置の状態に適する発信／着信履歴の抽出条件で、上記携帯端末の発信／着信履歴および自装置の発信／着信履歴の中から、発信／着信履歴を抽出し、出力することになる。
【００１７】
これにより、自装置の状態に適した携帯端末の発信／着信履歴の出力が可能となり、ユーザの利便性をさらに向上させることができる。なお、ここで近距離での通信とは、例えば、Ｂｌｕｅｔｏｏｔｈ（登録商標）のような近距離無線通信であってもよいし、ケーブルなどの有線で近距離を接続するものであってもよい。
【００１８】
本発明に係る通信装置では、上記状態取得手段は、上記携帯端末と近距離での通信が可能な状態であることを取得し、自装置が携帯端末と近距離での通信で通信可能な状態に対応する抽出条件は、自装置の発信／着信履歴と、自装置と近距離で通信可能な携帯端末の発信／着信履歴とを抽出するものであってもよい。
【００１９】
上記の構成によれば、状態取得手段は、携帯端末と近距離での通信が可能な状態であることを取得し、該状態に対応する発信／着信履歴の抽出条件が、自装置の発信／着信履歴と、自装置と近距離で通信可能な携帯端末の発信／着信履歴とを抽出するものとなる。
【００２０】
これにより、携帯端末と近距離での通信が可能な状態にあるとき、該携帯端末と通信可能である状態に適した発信／着信履歴を出力することができるので、通信可能にある当該携帯端末のユーザにとって効率的な利便性の高い出力をすることができる。
【００２１】
本発明に係る通信装置では、ファクシミリ機能を備え、上記状態取得手段は、上記ファクシミリ機能が動作するＦＡＸモード状態であることを取得し、上記対応情報記憶部に記憶されている対応情報における、ＦＡＸモード状態に対応する抽出条件は、相手先が固定電話機である発信／着信履歴を抽出するものであってもよい。
【００２２】
上記の構成によれば、状態取得手段は、ＦＡＸモード状態であることを取得し、該状態に対応する発信／着信履歴の抽出条件が、相手先が固定電話機である発信／着信履歴を抽出するものとなる。
【００２３】
これにより、ＦＡＸモード状態にあるとき、相手先が固定電話機である発信／着信履歴を抽出し、出力する。よって、相手先が携帯電話機の発信／着信履歴を出力することにより、ＦＡＸを送信することができない携帯電話機へ誤ってＦＡＸを送信してしまうことを防止することができ、ユーザの利便性を向上することができる。
【００２４】
本発明に係る通信装置では、自装置に用紙がセットされた状態を検出すると、上記ＦＡＸモード状態であると判断する状態判断手段をさらに備えているものであってもよい。
【００２５】
ファクシミリ機能を有する通信装置に、用紙がセットされた場合、ファクシミリを送信する準備である可能性が高い。
【００２６】
そして、上記の構成によれば、自装置に用紙がセットされると、状態判断手段はＦＡＸモード状態であると判断する。よって、ＦＡＸモード状態にするためのユーザの操作がなくても、ＦＡＸモード状態に対応した発信／着信履歴を出力させることができ、ユーザの利便性をさらに向上することができる。
【００２７】
なお、上記通信装置は、コンピュータによって実現してもよく、この場合には、コンピュータを上記各手段として動作させることにより上記通信装置をコンピュータにて実現させる通信装置の制御プログラム、およびそれを記録したコンピュータ読み取り可能な記録媒体も、本発明の範疇に入る。
【発明の効果】
【００２８】
以上のように、本発明に係る通信装置は、情報を出力する出力部と、自装置の状態を取得する状態取得手段と、上記発信／着信履歴の出力指示を取得する指示取得手段と、上記自装置の状態と該状態に適する発信／着信履歴の抽出条件とを対応付けた対応情報を記憶する対応情報記憶部と、上記指示取得手段が上記出力指示を取得すると、上記状態取得手段が取得した自装置の状態に対応する抽出条件を、上記対応情報記憶部から取得する抽出条件取得手段と、該抽出条件取得手段が取得した抽出条件で、上記履歴記憶部の発信／着信履歴を抽出する履歴抽出手段と、該履歴抽出手段が抽出した発信／着信履歴を出力するように上記出力部を制御する出力制御手段とを備えている構成である。
【００２９】
また、本発明に係る通信装置の制御方法は、外部の装置と通信を行う通信部と、該通信の発信履歴および着信履歴の少なくとも一方である発信／着信履歴を記憶する履歴記憶部と、自装置の状態と該状態に適する発信／着信履歴の抽出条件とを対応付けた対応情報を記憶する対応情報記憶部と、を備えている通信装置の制御方法であって、自装置の状態を取得する状態取得ステップと、上記発信／着信履歴の出力指示を取得する指示取得ステップと、上記指示取得ステップで上記出力指示を取得すると、上記状態取得ステップで取得した自装置の状態に対応する抽出条件を、上記対応情報記憶部から取得する抽出条件取得ステップと、該抽出条件取得ステップで取得した抽出条件で、上記履歴記憶部の発信／着信履歴を抽出する履歴抽出ステップと、該履歴抽出ステップで抽出した発信／着信履歴を出力するように、情報を出力する出力部を制御する出力制御ステップとを含む方法である。
【００３０】
これにより、自装置の状態に適した発信／着信履歴の出力が可能となり、不要な発信／着信履歴や余計な発信／着信履歴を出力せずに、より効率的な出力が可能となる。したがって、発信／着信履歴の効率的な出力が可能となるので、ユーザの利便性を向上させることができる。なお、ここで出力とは、例えば、表示することであってもよいし、印刷することであってもよい。
【発明を実施するための最良の形態】
【００３１】
本発明の一実施の形態について図１から図７に基づいて説明すれば、以下のとおりである。図２は、本実施の形態に係るファクシミリ装置（通信装置）１を含む通信システム５の概要を示すブロック図である。図２に示すように、通信システム５では、ファクシミリ装置１と携帯端末２、３とがＢｌｕｅｔｏｏｔｈ（登録商標）で通信可能となっている。なお、ここでは、ファクシミリ装置１とＢｌｕｅｔｏｏｔｈ（登録商標）で通信可能な携帯端末は、携帯端末２および携帯端末３の２台を示したが、これに限られるものではない。Ｂｌｕｅｔｏｏｔｈ（登録商標）で通信可能な携帯端末であれば何台でもよい。
【００３２】
図１は、本実施の形態に係るファクシミリ装置１のブロック図である。図１に示すように、ファクシミリ装置１は、制御部１０、操作受付部１１、検出部１２、履歴記憶部１５、表示部（出力部）１７、履歴取得決定テーブル記憶部１８、抽出条件決定テーブル記憶部（対応情報記憶部）１９、表示モード記憶部２０、通信部２２、ＦＡＸ部２３、および近距離無線部１４１を含む構成である。また、制御部１０は、履歴取得決定部１３、履歴取得部（履歴取得手段）１４、抽出条件取得部（抽出条件取得手段）１６、状態取得部（状態取得手段）２１、履歴抽出部（履歴抽出手段）２４、表示制御部（出力制御手段）２５、指示取得部（指示取得手段）２６、および状態判断部（状態判断手段）２７を含む構成であり、検出部１２は、センサ１２１、１２２を含む構成である。なお、ファクシミリ装置１は、電話機能およびＦＡＸ機能を有するものであるが、これらの機能は公知であるので、その説明は省略する。
【００３３】
ファクシミリ装置１は、上記の構成により状態取得部２１で取得した状態に適した発信／着信履歴を表示部１７で表示させるものである。これにより、不要な発信／着信履歴や余計な発信／着信履歴を表示させることなく、効率的な表示を行うことができる。また、検出した携帯端末に対応する表示を行うことで、ユーザの利便性を向上させた表示を行うことができる。
【００３４】
例えば、ファクシミリ装置１と携帯端末２とはＢｌｕｅｔｏｏｔｈ（登録商標）により通信可能で、携帯端末３とは通信不可能な状態の場合、ファクシミリ装置１は、携帯端末２に対応する発信／着信履歴表示を行い、携帯端末３に対応する発信／着信履歴表示を行わない。これにより、通信不可能である携帯端末３に対応する発信／着信履歴表示を行わないので、通信不可能である携帯端末３のユーザのプライバシーに配慮した発信／着信履歴表示を行うことができる。
【００３５】
操作受付部１１は、ファクシミリ装置１に対するユーザからの操作を受け付けるユーザインタフェースである。操作受付部１１は、ボタンキーによりユーザからの指示を受け付けることができる。そして、操作受付部１１は、受け付けた指示内容を指示取得部２６へ伝える。例えば、操作受付部１１は、ユーザから履歴表示指示を受け付けると、受け付けた指示内容を指示取得部２６へ伝える。
【００３６】
また、不在表示モードの指示を受け付けると制御部１０を介して、表示モード記憶部２０に、現在の表示モードは不在表示モードであることを記憶させる。表示モード記憶部２０は、現在の表示モードが標準表示モードか不在表示モードかを記憶している記憶部である。
【００３７】
ここで、標準表示モードとはファクシミリ装置１が、発信／着信履歴表示をするための何らかの状態取得を行った場合、または発信／着信履歴表示の指示を受け付けた場合に、取得状態に適した発信／着信履歴の表示を行うモードであり、不在表示モードとは、発信／着信履歴の表示をする時に所定の時間、不在の発信／着信履歴のみを表示するモードをいう。
【００３８】
検出部１２は、センサ１２１、センサ１２２を備え、状態取得部２１がファクシミリ装置１の状態を取得するための情報を検出する。そして、検出した事象を示す検出事象情報を状態判断部２７へ送信する。センサ１２１は、ファクシミリ装置１に用紙がセットされたことを検知するものである。また、センサ１２２は、ファクシミリ装置１における公衆回線（通信回線）２０３の捕捉を検知するものである。
【００３９】
状態判断部２７は、検出部１２から検出事象情報を取得する。また、状態判断部２７は、近距離無線部１４１から、近距離無線で通信可能な携帯端末２、３を示す情報を取得する。そして、状態判断部２７は、取得した情報からファクシミリ装置１の状態を判断し、判断した結果である状態情報を状態取得部２１へ送信する。
【００４０】
状態判断部２７は、例えば、検出部１２からセンサ１２１が用紙のセットを検知したという情報を取得すると、ファクシミリ装置１はＦＡＸモードにあると判断する。また、近距離無線部１４１から、携帯端末２と近距離無線通信を行っているという情報を取得すると、ファクシミリ装置１は携帯端末２と近距離通信可能な状態であると判断する。
【００４１】
また、状態判断部２７は、操作受付部１１が、ユーザの操作によりＦＡＸ送信の指示を受け付けると、ファクシミリ装置１はＦＡＸモードにあると判断する。
【００４２】
さらに、状態判断部２７は、センサ１２２が公衆回線２０３の捕捉を検知すると、通信回線捕捉状態にあると判断する。
【００４３】
状態取得部２１は状態判断部２７から状態情報を受信し、履歴取得決定部１３および抽出条件取得部１６へ送信する。
【００４４】
なお、状態取得部２１が取得する状態としては、上述した近距離無線通信により通信可能な携帯端末２、３の存在、ファクシミリ装置１への紙のセットに限られるものではなく、履歴の表示と関連付けられるものであれば何でもよい。また、通信可能な携帯端末の検出は２台に限られるものではなく、近距離無線通信が可能な携帯端末であれば、何台でもよい。
【００４５】
履歴取得決定部１３は、状態取得部２１から受信した状態情報に基づいて、近距離無線通信で通信可能な携帯端末（ここでは携帯端末２、３とする）から発信／着信履歴を取得するか否かを決定する。そして決定した結果である決定情報を履歴取得部１４へ送信する。発信／着信履歴を取得するか否かの決定は、履歴取得決定テーブル記憶部１８に記憶されている履歴取得決定テーブルを用いて行う。図３に履歴取得決定テーブル３１を示す。履歴取得決定テーブル３１は、状態情報と発信／着信履歴を取得するか否かを対応づけたテーブルであり、例えば、状態情報が「携帯端末２と通信可能」であれば、発信／着信履歴を取得し、「ＦＡＸモード」であれば、発信／着信履歴を取得しないとなる。
【００４６】
履歴取得部１４は、履歴取得決定部１３から取得した決定情報が履歴の取得を行うことを示すものであれば、近距離無線部１４１を介して携帯端末２、３に記憶されている発信／着信履歴を取得する。そして、取得した発信／着信履歴を履歴記憶部１５に記憶させる。
【００４７】
履歴記憶部１５は、履歴取得部１４が取得した発信／着信履歴およびファクシミリ装置１の発信／着信履歴を記憶している。図４に履歴記憶部１５に記憶されている発信／着信履歴の例を示す。
【００４８】
図４に示す例では、例えば（１）は、電話番号０３−△△△△―○○○○から２００８年２月２２日９時３５分にファクシミリ装置１に着信があり、応答したということを示す。また（２）は、電話番号０９０−△△△△―○○○○から２００８年２月２２日１１時１１分にファクシミリ装置１に着信があり、不在（すなわち、応答しなかった）であったということを示す。（３）以下も同様である。
【００４９】
抽出条件取得部１６は、状態取得部２１から受信した状態情報を基に、表示する発信／着信履歴を抽出するための条件を抽出条件決定テーブル記憶部１９から取得する。そして、取得した条件を示す条件情報を履歴抽出部２４へ送信する。また、表示モード記憶部２０に記憶されている表示モードが不在モードであれば、不在モードも加味した抽出条件を示す条件情報を履歴抽出部２４へ送信する。
【００５０】
履歴抽出部２４は、受信した条件情報が示す条件に当てはまる発信／着信履歴を履歴記憶部１５から抽出し、表示制御部２５へ送信する。
【００５１】
図５に、抽出条件決定テーブル記憶部１９に記憶されている抽出条件決定テーブル５１を示す。抽出条件決定テーブル５１は、取得状態と抽出する発信／着信履歴の条件とを対応付けたテーブルであり、例えば、取得状態が「携帯端末２と通信可能」であれば、「発着信端末がファクシミリ装置１および携帯端末２」が抽出条件となる。また、取得状態がＦＡＸモードであれば、「発信元（先）番号が固定電話端末の番号」が抽出条件となる。なお、発信元（先）番号が電話番号が固定電話端末の番号か否かは、電話番号の頭３桁から判断することが可能である。
【００５２】
そして、例えば、状態取得部２１から受信した状態情報が、「携帯端末２と通信可能」を示すものであった場合、抽出条件は、「発着信端末がファクシミリ装置１および携帯端末２」なので、履歴抽出部２４は、図４の例で言えば、「（１）、（２）、（３）、（５）」の４つの発信／着信履歴を抽出する。
【００５３】
これにより、携帯端末２のユーザは、ファクシミリ装置１と携帯端末２との発信／着信履歴のみを認識することができ、効率的に発信／着信履歴を確認することができる。また、携帯端末３の発信／着信履歴が表示されないので、携帯端末３のユーザのプライバシーに配慮することもできる。
【００５４】
また、状態取得部２１から受信した状態情報が、「ＦＡＸモード」を示すものであった場合、抽出条件は「発信元（先）番号が固定電話端末の番号」なので、履歴抽出部２４は、図４の例で言えば、「（１）、（３）、（６）」の３つの発信／着信履歴を抽出する（電話番号の頭から３桁目が、「０」でない場合を固定電話端末と判断する場合）。
【００５５】
そして、取得状態が「ＦＡＸモード」であった場合、ＦＡＸの送信は固定電話端末に対してしか行うことができないので、固定電話端末の電話番号のみの発信／着信履歴を表示対象とすれば、ＦＡＸを受信できない携帯電話端末に対しＦＡＸ送信を行ってしまうことを防止することができる。
【００５６】
また、状態取得部２１が取得した状態が通信回線の捕捉のみであった場合は、全ての発信／着信履歴を抽出する。
【００５７】
なお、状態取得部２１が取得した状態が通信回線の捕捉のみの場合に、抽出する条件を「発信元（先）番号が固定電話端末の番号」としてもよい。これにより、固定電話端末から携帯電話端末へ電話してしまうことを防止できる。よって、例えば、固定電話端末から携帯電話端末への電話料金が、携帯電話端末同士の電話料金よりも割高となる場合など、携帯電話端末へは携帯電話端末から電話した方が望ましい場合に、固定電話端末から携帯電話端末へ電話してしまうことを防止できる。
【００５８】
また、抽出する発信／着信履歴の決定の処理の流れについては後述する。
【００５９】
表示制御部２５は、履歴抽出部２４から受信した抽出された発信／着信履歴を表示部１７に表示させる。
【００６０】
表示部１７は、発信／着信履歴等を表示する表示部である。この表示部１７としては、情報の表示が可能な表示装置であればどのような装置によって実現されてもよいが、具体的な例としては、液晶表示装置があげられる。
【００６１】
通信部２２は、ファクシミリ装置１と公衆回線２０３とを接続するものである。通信部２２は、ファクシミリ装置１から送信されるデータを公衆回線２０３を介して接続されている他の通信装置に送信する。また、公衆回線２０３を介して接続されている他の通信装置から送信されたデータを受信する。
【００６２】
ＦＡＸ部２３は、ＦＡＸとしての機能を実行するものである。
【００６３】
次に、発信／着信履歴を表示する処理の流れについて図６、７を用いて説明する。図６は、状態取得部２１において、携帯端末２、３と通信可能状態やＦＡＸモード状態等の何らかの状態を示す状態情報を取得した場合に発信／着信履歴を表示するときの処理の流れを示すフローチャートである。なお、以下ではファクシミリ装置１が近距離通信で通信可能な携帯端末は、携帯端末２、３のみの場合で説明するが、携帯端末は２台に限られるものではない。
【００６４】
状態取得部２１が、携帯端末２、３と通信可能状態やＦＡＸモード状態等の何らかの状態を示す状態情報を取得したときに発信／着信履歴を表示する場合、状態取得部２１が上記何らかの状態情報を取得すると（Ｓ６０１でＹＥＳ）、履歴取得決定部１３は、状態取得部２１から受信した状態情報が示す状態が携帯端末２、３と通信可能状態であるということか否かを判断する（Ｓ６０２）。そして、状態取得部２１から受信した状態情報が示す状態が携帯端末２、３と通信可能状態であるということを示すものであれば（Ｓ６０２でＹＥＳ）、履歴取得部１４は、携帯端末２、３の発信／着信履歴を取得し（Ｓ６０３）、履歴記憶部１５へ記憶させる（Ｓ６０４）。
【００６５】
次に、抽出条件取得部１６は、不在表示モードか否かを判断し（Ｓ６０５）、不在表示モードであれば（Ｓ６０５でＹＥＳ）、取得した状態に対応する抽出条件に加え、不在表示モード対応の抽出条件を取得する（Ｓ６０６）。そして、所定時間が経過すると（Ｓ６０７でＹＥＳ）、抽出条件取得部１６は、状態取得部２１から受信した状態情報が示す状態に対応した抽出条件のみを取得する（Ｓ６０８）。なお、所定時間の計測は、時計部（図示せず）により行う。そして、履歴抽出部２４は、受信した抽出条件で発信／着信履歴を抽出し、表示制御部２５は、抽出された発信／着信履歴を表示部１７に表示させる（Ｓ６０９）。なお、上述の実施形態では、不在表示モードは所定の時間が経過すると標準表示モードに戻る構成としたがこれに限られるものではない。
【００６６】
一方、状態取得部２１から受信した状態情報が携帯端末２、３と通信可能状態であることを示すものではなければ（Ｓ６０２でＮＯ）、抽出条件取得部１６は、状態取得部２１から受信した状態情報に対応した抽出条件を取得する（Ｓ６０８）。また、不在表示モードでなければ（Ｓ６０５でＮＯ）、抽出条件取得部１６は、状態取得部２１から受信した状態情報が示す状態に対応した抽出条件を取得する（Ｓ６０８）。そして、履歴抽出部２４は、取得した抽出条件で発信／着信履歴の抽出を行い、表示制御部２５は、抽出された発信／着信履歴を表示する（Ｓ６０９）。以上で、状態取得部２１が、携帯端末２、３と通信可能状態やＦＡＸモード状態等の何らかの状態を示す状態情報を取得した場合に発信／着信履歴を表示するときの処理の流れが終了する。
【００６７】
次に、ユーザの指示を受け、発信／着信履歴を表示する場合の処理の流れを図７を用いて説明する。図７は、ユーザの指示を受け、発信／着信履歴を表示する処理の流れを示すフローチャートである。
【００６８】
まず、操作受付部１１は、ユーザからの履歴表示指示を受け付ける（Ｓ７０１でＹＥＳ）。次に、状態取得部２１は、携帯端末２、３と通信可能状態やＦＡＸモード状態等の状態を示す状態情報を取得する（Ｓ７０２）。そして、抽出条件取得部１６は、状態情報が示す状態に対応した抽出条件を取得する（Ｓ７０３）。そして、履歴抽出部２４は、受信した抽出条件で発信／着信履歴の抽出を行い、表示制御部２５は、抽出された発信／着信履歴を表示する（Ｓ７０４）。以上で、ユーザの指示を受け、発信／着信履歴を表示する処理の流れが終了する。
【００６９】
なお、上述した実施の形態では、電話番号の発信／着信履歴を表示する場合について説明したが、これに限られるものではない。例えば、ファクシミリ装置１、携帯端末２、および携帯端末３のそれぞれにおいて電子メールの送受信が可能で、携帯端末２および携帯端末３の電子メールの送受信履歴をファクシミリ装置１が取得し、ファクシミリ装置１の状態に対応させて、電子メールアドレスを含む電子メールの送受信履歴を表示できるものであってもよい。
【００７０】
また、ファクシミリ装置１と携帯端末２、３とが通信可能となったときに、履歴記憶部１５に記憶されている発信／着信履歴を携帯端末２、３へ送信するものであってもよい。
【００７１】
以上のように、本発明に係るファクシミリ装置１は、外部の装置と通信を行う通信部２２と、該通信の発信履歴および着信履歴の少なくとも一方である発信／着信履歴を記憶する履歴記憶部１５とを備えている通信装置である。そして、情報を表示する表示部１７と、自装置の状態を取得する状態取得部２１と、上記発信／着信履歴の出力指示を取得する指示取得部２６と、上記自装置の状態と該状態に適する発信／着信履歴の抽出条件とを対応付けた抽出条件決定テーブル５１を記憶する抽出条件決定テーブル記憶部１９と、指示取得部２６が上記出力指示を取得すると、状態取得部２１が取得した自装置の状態に対応する抽出条件を、抽出条件決定テーブル記憶部１９から取得する抽出条件取得部１６と、抽出条件取得部１６が取得した抽出条件で、履歴記憶部１５の発信／着信履歴を抽出する履歴抽出部２４と、履歴抽出部２４が抽出した発信／着信履歴を表示するように表示部１７を制御する表示制御部２５とを備えている。
【００７２】
これにより、自装置の状態に適した発信／着信履歴の出力が可能となり、不要な発信／着信履歴や余計な発信／着信履歴を表示せずに、より効率的な表示が可能となる。したがって、発信／着信履歴の効率的な表示が可能となるので、ユーザの利便性を向上させることができる。また、上述したように、通信可能な携帯端末とユーザとを対応づけることによって、ユーザの利便性を向上させ、他のユーザの発信／着信履歴を表示させないことによりプライバシーにも配慮した表示を行うことができる。
【００７３】
本発明は上述した実施の形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００７４】
最後に、ファクシミリ装置１の各ブロック、特に制御部１０、履歴取得決定部１３、履歴取得部１４、抽出条件取得部１６、状態取得部２１、履歴抽出部２４、表示制御部２５、指示取得部２６、および状態判断部２７は、ハードウェアロジックによって構成してもよいし、次のようにＣＰＵを用いてソフトウェアによって実現してもよい。
【００７５】
すなわち、ファクシミリ装置１は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるファクシミリ装置１の制御プログラムのプログラムコード（実行形式プログラム、中間コードプログラム、ソースプログラム）をコンピュータで読み取り可能に記録した記録媒体を、上記ファクシミリ装置１に供給し、そのコンピュータ（またはＣＰＵやＭＰＵ（microprocessor unit））が記録媒体に記録されているプログラムコードを読み出し実行することによっても、達成可能である。
【００７６】
上記記録媒体としては、例えば、磁気テープやカセットテープ等のテープ系、フロッピー（登録商標）ディスク／ハードディスク等の磁気ディスクやＣＤ−ＲＯＭ（compact disc read-only memory）／ＭＯ（magneto-optical）／ＭＤ（Mini Disc）／ＤＶＤ（digital video disk）／ＣＤ−Ｒ（CD Recordable）等の光ディスクを含むディスク系、ＩＣカード（メモリカードを含む）／光カード等のカード系、あるいはマスクＲＯＭ／ＥＰＲＯＭ（erasable programmable read-only memory）／ＥＥＰＲＯＭ（electrically erasable and programmable read-only memory）／フラッシュＲＯＭ等の半導体メモリ系などを用いることができる。
【００７７】
また、ファクシミリ装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ（local area network）、ＩＳＤＮ（integrated services digital network）、ＶＡＮ（value-added network）、ＣＡＴＶ（community antenna television）通信網、仮想専用網（virtual private network）、電話回線網、移動体通信網、衛星通信網等が利用可能である。また、通信ネットワークを構成する伝送媒体としては、特に限定されず、例えば、ＩＥＥＥ（institute of electrical and electronic engineers）１３９４、ＵＳＢ、電力線搬送、ケーブルＴＶ回線、電話線、ＡＤＳＬ（asynchronous digital subscriber loop）回線等の有線でも、ＩｒＤＡ（infrared data association）やリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００７８】
効率的で、ユーザにとって利便性の高い発信／着信履歴の表示を行うことができるので、複数の装置の発信／着信履歴を記憶し、全ての発信／着信履歴を表示すると非効率となる装置、例えば、ＦＡＸ機能を備えた電話や複数の携帯端末から履歴を受信可能な電話に好適である。
【図面の簡単な説明】
【００７９】
【図１】本発明の実施の形態を示すものであり、通信装置の要部構成を示すブロック図である。
【図２】上記実施の形態における、通信装置と携帯端末との関係を示す図である。
【図３】上記実施の形態における、履歴取得決定テーブルを示す図である。
【図４】上記実施の形態における、履歴記憶部に記憶されている発信／着信履歴の例を示す図である。
【図５】上記実施の形態における、抽出条件決定テーブルを示す図である。
【図６】上記実施の形態における、何らかの状態を取得した場合に発信／着信履歴を表示するときの処理の流れを示すフローチャートである。
【図７】上記実施の形態における、ユーザの指示を受け、発信／着信履歴を表示する処理の流れを示すフローチャートである。
【符号の説明】
【００８０】
１    ファクシミリ装置（通信装置）
２、３    携帯端末
１１    操作受付部
１２    検出部
１３    履歴取得決定部
１４    履歴取得部（履歴取得手段）
１５    履歴記憶部
１６    抽出条件取得部（抽出条件取得手段）
１７    表示部（出力部）
１８    履歴取得決定テーブル記憶部
１９    抽出条件決定テーブル記憶部（対応情報記憶部）
２０    表示モード記憶部
２１    状態取得部（状態取得手段）
２２    通信部
２３    ＦＡＸ部
２４    履歴抽出部（履歴抽出手段）
２５    表示制御部（出力制御手段）
２６    指示取得部（指示取得手段）
２７    状態判断部（状態判断手段）
３１    履歴取得決定テーブル
５１    抽出条件決定テーブル
【図１】
0005198144.tif 000002
【図２】
0005198144.tif 000003
【図３】
0005198144.tif 000004
【図４】
0005198144.tif 000005
【図５】
0005198144.tif 000006
【図６】
0005198144.tif 000007
【図７】
0005198144.tif 000008